(57)【要約】本発明は、子供用組み立てセットやパズルに用いる事ができる組み立てキットの要素に関する。組み立てキットの要素は、２つ以上の接続部を有し、接続部のそれぞれは、表面を有する３次元の主要部を形成しており、表面の一部は、立方体表面の同一面内に位置し、立方体のリブの長さは、"ａ"に等しい。さらに、前述の表面の上には、突出部が形成されており、前記突出部は、前記表面からの高さが"ａ／２"を超えない高さを有するとともに、前記突出部が形成された立方体表面と隣接する立方体表面の同一面内に独立して配置される４つのセクションを備えており、立方体表面に垂直な軸上に位置する、隣接する立方体の中心間の距離は、前記突出部と、取り付け可能な組み立てキットの要素の突出部とが接触可能なように、"２ａ"に等しい。立方体表面の面内に位置する接続部表面のそれぞれは、別の接続部の立方体の、ある１つの表面の同一面内、あるいは、別の接続部の立方体の、ある１つの表面と平行な面、のいずれかの面内に位置する。技術的成果としては、同型の組み立てキットの要素接続の選択肢の数を増やすことにある。
2015504718.tif 000002
【特許請求の範囲】
【請求項１】
組み立てキットの要素であって、
少なくとも２つの連結継手を有し、
前記連結継手のそれぞれは、表面を有する３次元の主要部を形成するように作られており、
前記表面の少なくとも一部は、リブの長さが＜＜ａ＞＞に等しい立方体表面の同一面内に位置し、
前記表面の少なくとも１つには、その上に突出部が形成されており、
前記突出部は、前記表面からの高さが、＜＜ａ／２＞＞を超えない高さを有するとともに、４つのセクションを備えており、
前記セクションは、前記立方体表面の同一面内に独立して配置され、前記突出部が形成された前記表面と隣接しており、
前記立方体表面に垂直な軸上に位置する、隣接する前記立方体の中心間の距離は、前記突出部と、連結する組み立てキットの要素の突出部とが接触可能なように、＜＜２ａ＞＞に等しく、
前記連結継手の表面のそれぞれは、
前記立方体表面の面上に位置し、
別の連結継手の立方体の、ある１つの表面の同一面内、あるいは、さらに別の連結継手の立方体の、ある１つの表面の面と平行な面内、の何れかの面内に位置することを特徴とする組み立てキットの要素。
【請求項２】
組み立てキットの要素であって、
表面を有する３次元の主要部を形成する１つの連結継手を有し、
前記表面の少なくとも一部は、リブの長さが＜＜ａ＞＞に等しい立方体表面の面内に位置し、
前記表面の少なくとも１つには、その上に突出部が形成されており、
前記突出部は、前記表面からの高さが、＜＜ａ／２＞＞を超えない高さを有するとともに、４つのセクションを備えており、
前記セクションは、前記立方体表面の面上に独立して配置され、前記突出部が形成された前記表面と隣接していることを特徴とする組み立てキットの要素。
【請求項３】
組み立てキットであって、
前記組み立てキットの要素のセットの一部は、１つの連結継手を有し、
前記組み立てキットの要素のセットの残部は、２つ以上の連結継手を有し、
前記連結継手は、表面を有する３次元の主要部を形成するように作られており、
前記表面の少なくとも一部は、リブの長さが＜＜ａ＞＞に等しい立方体表面の面内に位置し、
前記表面の少なくとも１つは、突出部を備えるよう作られており、
前記突出部は、前記表面からの高さが、＜＜ａ／２＞＞を超えない高さを有するとともに、４つのセクションを備えており、
前記セクションは、前記立方体表面の同一面内に独立して配置され、前記突出部が形成された前記表面と隣接しており、
前記立方体表面に垂直な軸上に位置する、隣接する前記立方体の中心間の距離は、連結する組み立てキットの要素の突出部と、前記セクションとが接触可能なように、＜＜２ａ＞＞に等しく、
前記連結継手の表面のそれぞれは、
前記立方体表面の面上に位置し、
別の連結継手の立方体表面の、ある１つの同一面内、あるいは、さらに別の連結継手の立方体表面の、ある１つの面と平行な面内の何れかの面内に位置することを特徴とする組み立てキット。
【発明の詳細な説明】
【技術分野】
【０００１】
本発明は、組み立てキットの要素に関し、特に、組み立て玩具キット（セット）やパズルに用いる事ができる組み立てキットの要素（部品）に関する。
【背景技術】
【０００２】
先行技術として知られているのは、基部を有する組み立てキットの要素（部品）であって、それは概して、類似するキットの要素（部品）同士を接続する連結継手を１つ以上有し、平行六面体の形状を有するように作られている（２０００年６月２０日の露国特許第２１５０９８５号明細書）。
【０００３】
公知の組み立てキットの要素は、同じ組み立てキットの要素間で１通りの方法でしか接続することができない形状であるため、機能性に乏しいという問題が有る。
【発明の概要】
【０００４】
請求項に記載の発明は、類似の部品と連結するのに多数の選択肢を与えてくれる組み立てキットの要素（部品）を作ることを目的としている。
【０００５】
技術成果は、提案する組み立てキットの要素と、同型の他のキットの要素との接続の選択肢を増やすことで、組み立てキットの要素の機能的な可能性を向上させることを含む。
【０００６】
組み立てキットの要素の第１の実施形態の技術成果は、少なくとも２つの連結継手（接続部）を有した構成部品によって達成され、連結継手のそれぞれは、表面を有する三次元の主要部を形成するように作られている。当該表面の少なくとも一部は、立方体表面の同一面内に位置し、立方体のリブは＜＜ａ＞＞に等しい。前述の面のうち少なくとも１つは、高さが＜＜ａ／２＞＞以下で、４つのセクション（部分）を備える突出部（突起部）を有する。それぞれのセクションは、突出部が形成された立方体表面と隣接する、表面の同一面上に独立して配置される。立方体の表面に対して垂直な軸上に位置する、隣接する立方体の中心間の距離は、突出部と、連結可能な組み立てキットの要素の突出部とが接触できるように、＜＜２ａ＞＞に等しい。立方体表面の同一面内に位置する、連結継手の表面（接続部の表面）のそれぞれは、別の接続部品の、ある１つの立方体表面の同一面内、あるいは、さらに別の接続部品の、ある１つの立方体表面の面と平行な面内、に位置している。
【０００７】
組み立てキットの要素の第２の実施形態における技術成果は、面を有する三次元の主要部を形成するよう作られた、１つの連結継手を有する組み立てキットの要素により達成され、当該面は、少なくとも一部が立方体表面の面内に位置し、立方体のリブの長さは、＜＜ａ＞である。上述の表面の少なくとも１つは、当該表面の上方に、突出部を有し、突出部の表面からの高さは、＜＜ａ／２＞＞を超えず、表面のそれぞれは、４つのセクションを備える。セクションは、その上に突起部が形成された面と隣接する、立方体表面の面内に独立して配置される。
【０００８】
組み立てキットの技術的成果は、組み立てキットの要素を有することによって達成され、一部の組み立てキットの要素は、１つの連結継手を有するように作られ、組み立てキットの要素の残部は、２つ以上の連結継手を有するように作られる。連結継手は、表面を有する３次元の主要部を形成するように作られており、表面の少なくとも一部は、リブが＜＜ａ＞＞に等しい立方体表面の同一面内に位置している。前述の表面の少なくとも１つは、表面に突出部（突起部）を備えており、突出部は、前記表面からの高さが＜＜ａ／２＞＞を超えない高さを有するとともに、４つのセクション（部分）を備えている。セクションは、立方体表面の同一面内に独立して配置され、突出部が形成された表面と隣接している。立方体表面に垂直な軸上に位置する、隣接する前記立方体の中心間の距離は＜＜２ａ＞＞に等しい。前述のセクションと、連結する組み立てキットの要素とは、接触可能であり、立方体表面の面内に位置する連結継手のそれぞれの面は、別の連結継手の立方体表面の面内、あるいは、さらに別の連結継手の立方体表面の面と平行な面内、に位置している。
【図面の簡単な説明】
【０００９】
本発明は、添付の図面を参照して説明される。
【図１】２つの連結継手を有する組み立てキットの要素を示す図である。
【図２】異なる３つの実施形態に係る、６つの突出部を有する連結継手を示す図である。
【図３】突出部を有さない連結継手を示す図である。
【図４】突出部を有さない連結継手を示す図である。
【図５】突出部を有さない連結継手を示す図である。
【図６】立方体表面の同一面内に位置する連結継手の表面を示す図である。
【図７】立方体表面の同一面内に位置する連結継手の表面を示す図である。
【図８】立方体表面の同一面内に位置する連結継手の表面を示す図である。
【図９】異なる方法の連結継手の突出部を示す図である。
【図１０】異なる方法の連結継手の突出部を示す図である。
【図１１】異なる方法の連結継手の突出部を示す図である。
【図１２】異なる方法の連結継手の突出部を示す図である。
【図１３】突出部が形成された表面と隣接している立方体の表面の面内に位置する、連結継手の突出部のセクションを示す図であり、これらの突出部は、図９に示す突出部と対応する。
【図１４】突出部が形成された表面と隣接している立方体の表面の面内に位置する、連結継手の突出部のセクションを示す図であり、これらの突出部は、図１０に示す突出部と対応する。
【図１５】突出部が形成された表面と隣接している立方体の表面の面内に位置する、連結継手の突出部のセクションを示す図であり、これらの突出部は、図１１に示す突出部と対応する。
【図１６】突出部が形成された表面と隣接している立方体の表面の面内に位置する、連結継手の突出部のセクションを示す図であり、これらの突出部は、図１１に示す突出部と対応する。
【図１７】組み立てキットの要素の断面図である。
【図１８】（図１に示すような２つの連結継手を有する、キットの要素のための）連結継手の突出部領域であって、その上に当該突出部が形成された面と隣接する、立方体表面の同一面内に位置する連結継手の突出部領域を示す図である。
【図１９】３つの連結継手を有する組み立てキットの要素を示す図である。
【図２０】５つの連結継手を有する組み立てキットの要素を示す図である。
【図２１】２つの連結継手を有する２つの組み立てキットの要素を示す図である。
【図２２】キットの要素を接続する際に２つの連結継手と接触する、２つ組み立てキットの要素の突出部のセクションを示す図である。
【図２３】２つの連結継手を有する組み立てキットの要素が、２つ接続した状態を示す図である。
【図２４】２つの連結継手を有する、２つの組み立てキットの要素の突出部のセクションが、キットの要素を連結する際に、互いに接続する過程を示す図である。
【図２５】２つの組み立てキットの要素を示した図であり、一方は、１つの連結継手を有し、他方は、３つの連結受け部を有している。
【図２６】図２５に示すように、２つの組み立てキットの要素の突出部のセクションが、部品を接続する際に接触する過程を示す図である。
【図２７】２つの接続した組み立てキットの要素を示した図であり、一方は、１つの連結継手を有しており、他方は、３つの連結継手を有している。
【図２８】キットの要素を連結する際に接触している、図２７に示す、２つの接続した組み立てキットの要素のセクションを示す図である。
【発明を実施するための形態】
【００１０】
第１の実施形態に係る組み立てキットの要素（図１参照）は、少なくとも２つの連結継手１を有し（図２参照）、連結継手１のそれぞれは、表面を有する三次元の主要部を形成するように作られている（図４参照）。表面２の少なくとも一部は、立方体表面４の面３内に位置し、立方体のリブの長さ５は、＜＜ａ＞＞に等しい（図７は、当該表面のみを示している）。前述の表面２のうち少なくとも１つは、突出部６を有しており（図２，１０参照）、突出部６は、表面２からの高さが、＜＜ａ／２＞＞を超えない高さを有しており、４つのセクション７を備えている。セクション７は、立方体４表面の面３内に独立して配置され、突出部６が形成された表面と隣接している（図１４は、図１０の突出部に対応する突出部のセクションのみを示したものである）。立方体４および４＊の表面９に垂直な軸８上に位置する、隣接している立方体４の中心である＜＜Ｏ１＞＞と＜＜Ｏ２＞＞との距離は、＜＜２ａ＞＞に等しい（図１７）。突出部と、連結する組み立てキットの要素の突出部とは、接触可能である（類似の連結キットの要素のセクションと接触する、突出部のセクションのみを示している、図１８参照）。連結継手１のそれぞれの表面は、立方体４の表面の面３内に位置し、別の接続継手１＊における、立方体４＊のある１つの表面である面３＊、あるいは、さらに別の接続継手１＊における、立方体４＊のある１つの表面である面３＊と平行な面３内に位置している（図１７参照）。
【００１１】
第２の実施形態に係る組み立てキットの要素（図２参照）は、表面を有する３次元の主要部を形成する連結継手を備えており（図４参照）、少なくとも一部２は、リブの長さ５が＜＜ａ＞＞に等しい、立方体表面４の面３内に位置している（図７は、これらの型の表面のみを示したものである）。突出部６は、前述の表面２のうち、少なくとも１つの上に形成されている（図２，１０参照）。当該突出部は、表面２からの高さが、＜＜ａ／２＞＞を超えず、４つのセクション７を有している。セクション７は、その上に突出部６が形成される表面と隣接する、立方体表面４の面３上に、独立して配置される。
【００１２】
組み立てキットは、キットの要素のセットにより特徴づけられており（図１，２，１９，２０参照）、その一部は、１つの連結継手を備えるように作られているが、残部は、２つ以上の連結継手を備えるように作られている。連結継手は、表面を有する３次元の主要部を形成するように作られており、表面の少なくとも一部が、リブの長さが＜＜ａ＞＞と等しい、立方体表面の面内に位置する。前述の表面のうちの少なくとも１つは、立方体表面からの高さが＜＜ａ／２＞＞を超えない高さの突出部を有するように作られており、４つのセクションを備えている。セクションは、その上に突出部が形成されている面と隣接する、立方体表面の面の上にそれぞれ独立して配置される。
【００１３】
立方体の表面に垂直な軸上に位置する、隣接する立方体の中心間の距離は、前述のセクションと連結組み立てキットの要素とが接触できるように、＜＜２ａ＞＞に等しく、立方体表面の面上に位置する連結継手の表面のそれぞれは、別の連結継手の、ある１つの立方体表面の面内、あるいは、さらに別の連結継手の、立方体表面のある１つの面と平行な面内に位置する。
【００１４】
連結継手（図２）は、基部の実施方法が異なっていてもよい。いくつかの選択肢を図３，４および６で示した。立方体表面の面内に位置する基部の表面は、突出部との強固な接続を確実なものにできることが必要である（図３，４，６の基部の表面を、図６，７、８に示す）。さらに、基部の形状は、連結継手の製造を容易にしたり、材料を節約したりすることを確実なものとする。示した３つの基部の選択肢は、請求項の範囲内の基部の実施形態のうち、可能なすべての選択肢を示したものではない。
【００１５】
図９−１２は、突出部の種類に関して、５つの選択肢を示している。連結継手は、同時に備えている突出部が１種類であってもよいし、それ以外であってもよい。キットの要素が接続している間は、その上に突出部が形成された表面に隣接する、立方体表面の面上に位置する突出部のセクションは、接続された類似のキットの要素の突出部のセクションと接触し、接触している領域内の部分間に摩擦力が発現することにより、接続された部品の安定した接続を確実なものとしている必要がある。図１３−１６は、図９−１２に示す突出部の前述の領域のみを示したものである。さらに、突出部の形状は、製造を容易性および材料の節約に寄与する。
【００１６】
前述の５つの突出部の選択肢は、請求項の範囲内の突出部の実施形態のうち、可能なすべての選択肢を示したものではない。
【００１７】
２つの連結継手を備える、２つの組み立てキットの要素間の接続を、それぞれ図２１−２４に示す。図２２および２４は、組み立てキットの要素の突出部のセクションのみを示したものであり、セクションは、接続している間接触しており、突出部のセクション間に働く摩擦力の合力によりキットの要素の接続が維持されている。
【００１８】
図２５−２８は、一方が１つの連結継手を備えており、他方は３つの連結継手を備えている場合における、２つの組み立てキットの要素間の接続を示したものである。図２６および２８は、組み立てキットの要素の突出部のセクションみを示したものであり、セクションは、接続している間接触しており、突出部のセクション間に働く摩擦力の合力によりキットの要素の接続が維持されている。
【図１】
2015504718.tif 000003
【図２】
2015504718.tif 000004
【図３】
2015504718.tif 000005
【図４】
2015504718.tif 000006
【図５】
2015504718.tif 000007
【図６】
2015504718.tif 000008
【図７】
2015504718.tif 000009
【図８】
2015504718.tif 000010
【図９】
2015504718.tif 000011
【図１０】
2015504718.tif 000012
【図１１】
2015504718.tif 000013
【図１２】
2015504718.tif 000014
【図１３】
2015504718.tif 000015
【図１４】
2015504718.tif 000016
【図１５】
2015504718.tif 000017
【図１６】
2015504718.tif 000018
【図１７】
2015504718.tif 000019
【図１８】
2015504718.tif 000020
【図１９】
2015504718.tif 000021
【図２０】
2015504718.tif 000022
【図２１】
2015504718.tif 000023
【図２２】
2015504718.tif 000024
【図２３】
2015504718.tif 000025
【図２４】
2015504718.tif 000026
【図２５】
2015504718.tif 000027
【図２６】
2015504718.tif 000028
【図２７】
2015504718.tif 000029
【図２８】
2015504718.tif 000030
【国際調査報告】
2015504718.tif 000031
2015504718.tif 000032